(57)【要約】【課題】簡単な構造で容易に折り畳みができて、且つ、足や腰を正座した状態に最も近い形で保持して長時間使用できる構造の折り畳み式正座椅子を提供する。【解決手段】床面に接地する基部２と、臀部を載せる座部３と、該座部３と基部２との間隔を保持する脚部４とを有する折り畳み式正座椅子１であって、基部２は、脚部４に回動自在に設けられており、脚部４は、座部３の下面３ａ中央部に回動自在に設けられ、脚部４には、座部３と基部２とに対して垂直に立脚される垂直部４ａと、座部３の下面３ａに接触して回動を停止する上端ストッパ片（停止手段）４ｃと、基部２の上面に接触して回動を停止する下端ストッパ片４ｂとを備えた。【選択図】　図１
2004033272.tif 000002
【特許請求の範囲】
【請求項１】
床面に接地する基部と、臀部を載せる座部と、該座部と前記基部との間隔を保持する脚部とを有する折り畳み式正座椅子であって、
前記基部は、前記脚部に回動自在に設けられ、前記脚部は、前記座部の幅方向の下面中央部に回動自在に設けられており、
前記脚部には、前記脚部を前記座部に対して垂直に立脚した状態で停止させる停止手段を有することを特徴とする折り畳み式正座椅子。
【請求項２】
前記脚部を前記座部に対して垂直に立脚した状態で前記脚部を前記座部に対して回動不能な状態に固定するロック部材が前記座部に設けられていることを特徴とする請求項１に記載の折り畳み式正座椅子。
【請求項３】
前記脚部の垂直部に前記基部の上面が向い合うように前記基部を回動させ、前記座部に前記基部の下面が向い合うように前記脚部を回動させた折畳み状態において、
前記脚部及び前記基部の外形が前記座部の平面形状内に納まる大きさとしたことを特徴とする請求項１又は２に記載の折り畳み式正座椅子。
【請求項４】
前記脚部は平板状の垂直部と該垂直部両端から垂直に張り出した上端ストッパ片と下端ストッパ片とを有し、
前記ロック部材は、前記座部に設けられた回動軸を中心にして前記座部の下面と平行な水平面内を回動自在に設けられたレバー部と、該レバー部に取付けられた固定部材とを有し、
前記脚部の停止手段が、前記上端ストッパ片を前記座部の下面と前記レバー部で挟み込むようにして前記脚部を回動不能に抑え、前記固定部材を前記座部の下面に固定することにより前記レバー部を回動不能にしたことを特徴とする請求項２又は３に記載の折り畳み式正座椅子。
【請求項５】
前記レバー部の一方の先端には係止部を有し、該係止部が前記折畳み状態において前記脚部の上端面に当接して前記脚部を回動不能となるようにしたこと特徴とする請求項４に記載の折り畳み式正座椅子。
【請求項６】
前記基部と前記脚部とを垂直に保持した位置で掛止する掛止部材が前記基部又は前記脚部に設けられたことを特徴とする請求項１乃至５のいずれか１つに記載の折り畳み正座椅子。
【発明の詳細な説明】
【０００１】
【発明の属する技術分野】
この発明は、冠婚葬祭や各種の会合の席等で長時間正座する時、お尻の下に敷いて足が痺れるのを防ぐ正座椅子に関するものであり、より詳しくは簡単に折り畳めて持ち運びに便利な折り畳み式正座椅子に適用できるものである。
【０００２】
【従来の技術】
従来、長時間正座した時の足の痺れを防止するための折り畳み式正座椅子としては、特開平７−３０８２３８号公報に記載されたようなものがある。
【０００３】
この折り畳み式正座椅子は、床面に接地する支持台と臀部を載せる座部との間に一対の脚をＸ状に設けたものである。
【０００４】
すなわち、掛止脚部と移動脚部とからなる一対の脚をＸ状に枢着し、一方の掛止脚部の下端を支持台の一端に枢支すると共に上端を座部の裏面に設けた掛止具に着脱自在に掛止できるようにしてあり、脚のもう一方の移動脚部は、上端を座部に枢支すると共に、下端を支持台に設けた移動距離規制具に係合させた構成である。この移動距離規制具は、持ち運んだり、正座時に臀部に敷いていた状態から少し持ち上げて移動するときにも、移動脚部下端が一定幅しか水平方向に移動できなくした構造となっているため、掛止脚部と移動脚部とからなる脚が立ち上がったような状態となって閉じるようなことがなくなる。
【０００５】
また、この折り畳み式正座椅子を使用する場合は、掛止脚部の上端を座部の裏面側の掛止部材金具に掛止して脚を立脚し、座部を支持台から立ち上げ、この座部を臀部の下に敷いて使用する。
【０００６】
【発明が解決しようとする課題】
しかしながら、このような従来のものにあっては、正座椅子を簡単に折り畳める構造にするために支持台と座部との間に立脚及び折り畳み可能な一対の脚がＸ状に立脚されており、さらに、正座時に臀部に敷いていた状態から少し持ち上げて移動するときに一対の脚が閉じないように移動距離規制具を有しているため、正座椅子の部品点数が多くなり構造が複雑になっていた。また、一対の脚がＸ状に立脚されているので、このＸ状に立脚された一対の脚を避けて正座するため、正座したときの足の位置が左右に広がり不自然な形となり正座した状態に最も近い形で正座することができなかった。
【０００７】
そこで、この発明は、以上のような従来の問題点を解決するためになされたもので、簡単な構造で容易に折り畳みができて、且つ、足や腰を正座した状態に最も近い形で保持して長時間使用できる構造の折り畳み式正座椅子を提供することを課題としている。
【０００８】
【課題を解決するための手段】
かかる課題を達成するため、請求項１に記載の発明は、床面に接地する基部と、臀部を載せる座部と、該座部と前記基部との間隔を保持する脚部とを有する折り畳み式正座椅子であって、前記基部は、前記脚部に回動自在に設けられ、前記脚部は、前記座部の幅方向の下面中央部に回動自在に設けられており、前記脚部には、前記脚部を前記座部に対して垂直に立脚した状態で停止させる停止手段を有することを特徴としている。
【０００９】
請求項２に記載の発明は、請求項１に記載の構成に加えて、前記脚部を前記座部に対して垂直に立脚した状態で前記脚部を前記座部に対して回動不能な状態に固定するロック部材が前記座部に設けられていることを特徴としている。
【００１０】
請求項３に記載の発明は、請求項１又は２に記載の構成に加えて、前記脚部の垂直部に前記基部の上面が向い合うように前記基部を回動させ、前記座部に前記基部の下面が向い合うように前記脚部を回動させた折畳み状態において、前記脚部及び前記基部の外形が前記座部の平面形状内に納まる大きさとしたことを特徴としている。
【００１１】
請求項４に記載の発明は、請求項２又は３に記載の構成に加えて、前記脚部は平板状の垂直部と該垂直部両端から垂直に張り出した上端ストッパ片と下端ストッパ片とを有し、前記ロック部材は、前記座部に設けられた回動軸を中心にして前記座部の下面と平行な水平面内を回動自在に設けられたレバー部と、該レバー部に取付けられた固定部材とを有し、前記脚部の停止手段が、前記上端ストッパ片を前記座部の下面と前記レバー部で挟み込むようにして前記脚部を回動不能に抑え、前記固定部材を前記座部の下面に固定することにより前記レバー部を回動不能にしたことを特徴としている。
【００１２】
請求項５に記載の発明は、請求項４に記載の構成に加えて、前記レバー部の一方の先端には係止部を有し、該係止部が前記折畳み状態において前記脚部の上端面に当接して前記脚部を回動不能となるようにしたことを特徴としている。
【００１３】
請求項６に記載の発明は、請求項１乃至５の何れか１つに記載の構成に加えて、前記基部と前記脚部とを垂直に保持した位置で掛止する掛止部材が前記基部又は前記脚部に設けられたこと特徴としている。
【００１４】
【発明の実施の形態】
以下、この発明の実施の形態を図面を用いて説明する。
【００１５】
図１乃至図８は、この発明の実施の形態を示す図である。
【００１６】
まず、構成を説明すると、図１中符号１は、折り畳み式正座椅子で、この折り畳み式正座椅子１は、床面に接地する基部２と、この基部２の上側に設けられた脚部４と、この脚部４の上側に設けられた臀部を載せる座部３と、この座部３を脚部４に対して立脚した状態で保持するロック部材５とで構成されている。さらに、基部２を脚部４に対して回動させ、脚部４を座部３に対して回動させることにより全体が平板状に折り畳めるようになっている。
【００１７】
座部３は、正座したときに臀部の下に敷ける大きさの略矩形状に形成されたものである。
【００１８】
そして、この座部３の上面には、図２に示すように、弾性を有する弾性材２０と、この弾性材２０を被覆する布製又は樹脂製のシート２１とが設けられている。
【００１９】
また、座部３の下面３ａの略中央には、回動部１０を介して脚部４が回動自在に設けられている。この回動部１０は座部３の下面３ａと、後述する脚部４の垂直部４ａの上端部とに皿ネジ１１により連結されている。
【００２０】
脚部４は、帯状の板材の両端を折り曲げて製作したものであって、折り畳み正座椅子１を使用状態にするときに基部２と座部３との間に垂直に立脚される垂直部４ａと、この垂直部４ａの下端に垂直部４ａに対して垂直に屈曲された下端ストッパ片４ｂと、垂直部４ａの上端に垂直部４ａに対して垂直に屈曲された上端ストッパ片４ｃとが形成されている。
【００２１】
垂直部４ａは、基部２と座部３との間に立脚されたときに座部３に臀部を載せて正座した両足が挿入可能な空間を形成できる高さであり、且つ、図３に示すように、折り畳み式正座椅子１が折り畳まれた状態のときに座部３の平面形状内に基部２が納まる高さに形成されている。
【００２２】
下端ストッパ片４ｂには、基部２の上面２ａと接触して垂直部４ａに対して垂直となる状態で基部２の回動を停止する平面形状の接触面４ｄを有している。上端ストッパ片４ｃには、座部３の下面３ａと接触して垂直部４ａに対して垂直となる状態で脚部４の回動を停止する平面形状の接触面４ｅを有している。
【００２３】
このように、座部３に連結された脚部４は座部３に対して回動自在ではあるが、脚部４の垂直部４ａを座部３の下面３ａに対して垂直となるように回動させたときに、脚部４の垂直部４が座部３の下面３ａに対して垂直となる位置で、脚部４の上端ストッパ片４ｃの接触面４ｅが座部３の下面３ａに接触されて回動が停止され脚部４が垂直に立脚された状態となる停止手段を有している。
【００２４】
さらに、座部３の下面３ａには、図４に示すように、脚部４と近接した位置にプレート１２が皿ネジ１１により連結されている。
【００２５】
そして、このプレート１２には、脚部４の上端ストッパ片４ｃの接触面４ｅが座部３の下面３ａに接触され、脚部４が立脚された状態で脚部４の垂直部４ａを座部３の下面３ａに対して垂直に保持して脚部４が回動不能な状態に固定するロック部材５が回動軸１４により回動自在に設けられている。
【００２６】
プレート１２は、略矩形状に形成され、脚部４と同一の板厚であり、図５に示すように、プレート１２を座部３の下面３ａに皿ネジ１１で取付けたときにプレート１２の上面側から皿ネジ１１のネジ頭部が表面から突出しないザグリ孔１２ａが２ヶ所形成されると共に、プレート１２の略中央にはネジ孔１２ｂが螺刻されている。さらに、図６に示すように、脚部４の下端ストッパ片４ｂが座部３の下面３ａと後述するレバー部６とで挟み込んだ状態で位置決めして、固定部材７を嵌合する凹部１２ｃが形成されている。
【００２７】
ロック部材５は、脚部４が立脚した状態のときに脚部４の上端ストッパ片４ｃに重合して座部３の下面３ａと挟み込んで脚部４を回動不能に係止するレバー部６と、このレバー部６の一方の先端がレバー部６に対して直角に屈曲され、図３に示すように、折り畳み式正座椅子１が折り畳まれた状態において脚部４の上端ストッパ片４ｃの接触面４ｅに接触して脚部４が座部３に対して回動不能に抑える係止部８と、レバー部６に取付けられた固定部材７とを有している。
【００２８】
レバー部６の略中央にはロック部材５を座部３の下面３ａと平行な水平面内を回動させる回動軸１４が挿通できる貫通孔６ａが形成されると共に、係止部８が形成された反対側のレバー部６の先端にネジ孔６ｂが螺刻されている。
【００２９】
そして、このレバー部６に螺刻されたネジ孔６ｂには、座部３の下面３ａに固定することによりレバー部６を回動不能に固定する固定部材７が螺合され設けられている。この固定部材７は摘み付きネジでありネジ長さは少なくともレバー部６の板厚以上のものである。
【００３０】
また、ロック部材５を回動自在に配設する回動軸１４はネジであり、回動軸１４をプレート１２に螺合して取付けたときに回動軸１４のネジ長さが少なくともレバー部６の板厚以上残るものである。
【００３１】
なお、以上説明した実施の形態ではロック部材５は、レバー部６の略中央にロック部材５を回動自在にする回動軸１４を設け、レバー部６の一方の先端に係止部８を形成し、他方の先端に固定部材７を螺合しているが、これに限定されることはない。
【００３２】
つまり、ロック部材５の変形例として図７に示すように、レバー部６の一方の先端に固定部材７を設け、他方の先端に回動軸１４を設け回動自在にプレート１２に取付けて、脚部４が立脚した状態のときに、レバー部６の固定部材７を有する先端側を上端ストッパ片４ｃに当接し、固定部材７をねじ込むことによって直接上端ストッパ片４ｃを押さえつけるようにして脚部４を回動不能に抑えるものであってもよい。
【００３３】
また、図示しないが、回動軸１４に代えて固定部材７を使用してもよい。この場合には、ロック部材５を所定の位置に回動させるときには固定部材７による締め付けを弛め、ロック部材５を所定の位置で止めるときには固定部材７を締め込んで固定すればよい。よって、固定部材７がロック部材５を回動自在にする回動軸１４を兼ねることになり、部品点数を減らせるためコスト低減が図れるので都合がよい。
【００３４】
脚部４の垂直部４ａの下端には、回動部１３を介して基部２が回動自在に設けられている。この回動部１３は脚部４の垂直部４ａの下端部と基部２の上面２ａに皿ネジ１１により連結されている。
【００３５】
基部２は、略矩形状に形成され、この略矩形状の大きさは、図２に示すように、脚部４が立脚して折り畳み式正座椅子１が使用状態のときに折り畳み式正座椅子１が安定した状態で支持できる大きさであり、且つ、図３に示すように、折り畳み式正座椅子１が折り畳まれた状態のときに、座部３の平面形状内に納まる大きさに形成されている。
【００３６】
さらに、基部２の上面２ａには、略Ｌ字状に形成され、基部２に対して脚部４の垂直部４ａが垂直となるように脚部４が立脚された状態において脚部４の下端ストッパ片４ｂの先端を掛止する掛止部材９が設けられている。
【００３７】
また、基部２の下面には、折り畳み正座椅子１が使用状態のときに床面を傷付けることがなく、さらに、折り畳み正座椅子１が折り畳み状態のときに座部３の下面３ａに干渉して発生する振動音等を防止するゴム製の緩衝部材２２が設けられている。
【００３８】
このように脚部４に連結された基部２は回動自在ではあるが、下端ストッパ片４ｂの接地面４ｄ側に基部２を回動させたときに、脚部４の垂直部４ａに対して垂直となる位置で脚部４の下端ストッパ片４ｂの接触面４ｄが基部２の上面２ａに接触されて回動が停止される。さらに、基部２の掛止部材９に下端ストッパ片４ｂの先端が掛止されることにより脚部４が基部２に立脚された状態を保持できる。
【００３９】
なお、以上のような掛止部材９にあっては、回動部１３のガタ付きを利用して下端ストッパ片４ｂの先端を乗り越えることによって、下端ストッパ片４ｂの先端が掛止されるものであるから、取り扱いは便利であるが使用を重ねる程に掛止作用が低下する場合がある。
【００４０】
そこで、掛止部材９の変形例として、図８に示したように、ロック部材５のような独立した回動できる部品とすることが考えられる。この場合には、正面から見てクランク形状をした掛止部材９の下側片９ａが基部２に接触して回動できるように固定ネジ２３で止めておき、基部２を脚部４の垂直部４ａ側に回動するときは固定ネジ２３による締め付けを弛めて上側片９ｂを基部２の上面２ａから遠ざけ、基部２を脚部４の垂直部４ａに対して垂直となる位置で停止させたときには上側片９ｂを基部２の上面２ａに掛止させた状態で固定ネジ２３を締め込んで固定すればよい。これにより、掛止部材９が基部２を脚部４の垂直部４ａに対して垂直となる位置で確実に固定することができるから、長期に渡ってより安心して使用できるものとなる。
【００４１】
次にこの発明の実施の形態に係る折り畳み式正座椅子の作用について説明する。
【００４２】
折り畳み式正座椅子１を図３に示すような折り畳み状態から、図２に示すような折り畳み正座椅子１を使用状態にするには、以下のようにして行う。
【００４３】
まず、レバー部６に螺合された固定部材７を解除してプレート１２の凹部１２ｃより固定部材７を退避させる。すると、脚部４の上端ストッパ片４ｃの接触面４ｅに接触して係止していた係止部８のロック部材５が回動自在な状態となるので、ロック部材５の係止部８を脚部４が回動自在となる位置まで退避させ、脚部４を回動自在な状態とする。そして、脚部４をロック部材５側に回動させ、脚部４の上端ストッパ片４ｃの接触面４ｅが座部３の下面３ａに接触されて回動が停止されることにより脚部４が立脚された状態となる。そして、ロック部材５を回動させレバー部６と座部３の下面３ａとで上端ストッパ片４ｃを挟み込んで、脚部４を回動不能に抑え、固定部材７を螺合してプレート１２の凹部１２ｃに嵌合して固定することでレバー部６を回動不能にする。
【００４４】
これにより、脚部４の上端ストッパ片４ｃの接触面４ｅが座部３の下面３ａに接触され、脚部４の垂直部４ａが座部３に対して垂直な状態となり脚部４が立脚した状態を保持することができる。
【００４５】
その後、脚部４の垂直部４ａの下端に回動自在に連結された基部２を脚部４の下端ストッパ片４ｂの接地面４ｄ側に回動させる。そして、基部２の上面２ａが脚部４の下端ストッパ片４ｂの接地面４ｄに接触して回動が停止されると共に、脚部４の下端ストッパ片４ｂの先端に掛止部材９が掛止される。
【００４６】
これにより、基部２に脚部４が立脚された状態を保持することができ、折り畳み正座椅子１を使用状態にすることができる。
【００４７】
次いで、折り畳み式正座椅子１を折り畳んだ状態にするには以下のようにして行う。
【００４８】
まず、基部２を脚部４の垂直部４ａ側に回動させ脚部４の下端ストッパ片４ｂの先端を掛止部材９から退避させ、脚部４の垂直部４ａに基部２の上面２ａを垂直部４ａに対して平行となるように向い合わせる。
【００４９】
その後、脚部４の上端ストッパ片４ｃに接触して脚部４が立脚した状態に保持していたロック部材５の固定部材７を解除してプレート１２の凹部１２ｃより固定部材７を退避させる。すると、脚部４の上端ストッパ片４ｃに接触していたロック部材５のレバー部６が回動自在な状態となるのでレバー部６を脚部４が回動可能な位置まで退避させ、脚部４を回動自在な状態とする。そして、脚部４を回動させ基部２の下面に設けられた緩衝部材２２が座部３の下面３ａに向い合うように接触され、回動が係止されることにより脚部４が座部３の下面３ａに折り畳まれた状態となる。そして、ロック部材５のレバー部６を回動させ係止部８を上端ストッパ片４ｃの接触面４ｅに接触させて脚部４を回動不能に抑え、固定部材７を螺合してプレート１２の凹部１２ｃに嵌合して固定することによりレバー部６を回動不能にする。
【００５０】
これにより、係止部８が脚部４の上端ストッパ片４ｃの接触面４ｅに当接され、脚部４が立脚不能な状態を保持して折り畳み式正座椅子１を折り畳んだ状態にすることができる。
【００５１】
以上のような実施の形態にあっては、臀部を載せる座部３と、この座部３の下面３ａ略中央に回動自在に設けられた一脚の脚部４と、この脚部４に回動自在に設けられ床面に接地する基部２とで折り畳み式正座椅子１が構成され、さらに、この基部２と脚部４とを回動するだけで折り畳み式正座椅子１を折り畳み状態及び使用状態にすることが可能であるので、簡単な構造で容易に折り畳み状態及び使用状態にすることが可能である。
【００５２】
さらに、脚部４は正座した両足の中央に納められる形状に形成され、座部３の両端部の下方位置には大きな空間が得られるので利用者は両足を左右に開くことなく正座した状態に最も近い形で正座することができる。その上、両足に体重がかからないので長時間使用していても足や股に痛みが発生しない。
【００５３】
また、座部３の下面３ａには、脚部４の上端ストッパ片４ｃが座部３の下面３ａに接触した状態で脚部４を座部３に対して回動不能な状態に固定するロック部材が設けられているので、利用者が正座しているときに安定した状態を保つことができる。
【００５４】
しかも、脚部４の垂直部４ａに基部２の上面２ａが向い合うように基部２を回動させ、座部３の下面３ａに基部２の下面に設けられた緩衝部材２２が向い合うように脚部４を回動させた折畳み状態において、基部２の外形及び脚部４の外形が座部３の平面形状内に納まる大きさに形成されているので、コンパクトな形状に折り畳めることができる。
【００５５】
また、ロック部材５は、座部３の下面３ａと平行な水平面内を回動自在に設けられたレバー部６と、このレバー部６に取付けられた固定部材７とを有し、上端ストッパ片４ｃを座部３の下面３ａとレバー部６とで挟み込んで脚部４を回動不能に抑え、固定部材７を座部の下面に固定することによりレバー部６を回動不能にして脚部４を立脚した状態に保持して折り畳み式正座椅子１を使用状態にすることができるので、ロック部材５を簡単な構造にすることができる。
【００５６】
さらに、基部２の上面２ａには、脚部４の垂直部４ａを垂直に保持した位置で掛止する掛止部材９が設けられているので、折り畳み正座椅子１を使用する際に脚部４が掛止部材９により掛止され立脚された状態を保持することができるので、利用者が正座しているときに安定した状態を保つことができる。
【００５７】
さらにまた、レバー部６の一方の先端には係止部８が形成され、この係止部は、折畳み状態において脚部４の上端ストッパ片４ｃの接触面４ｅに当接して脚部４を回動不能とすることで折り畳み正座椅子１が折り畳まれた状態を保持することができるので、持ち運び等の際に基部２や脚部４が回動されることがなく折り畳んだ状態での持ち運びを容易に行うことができる。
【００５８】
なお、以上に説明した実施の形態では、脚部４に帯状の板材を使用した例を示したが、これに限らず正座した際に邪魔にならない程度の断面積のものであれば角柱や円柱等であってもよい。さらに、その角柱や円柱等が中空又は中実のいずれであってもよい。
【００５９】
【発明の効果】
以上説明したように、請求項１に記載の発明によれば、床面に接地する基部と、臀部を載せる座部と、該座部と基部との間隔を保持する脚部とを有する折り畳み式正座椅子であって、基部は、脚部に回動自在に設けられ、脚部は、座部の幅方向の下面中央部に回動自在に設けられており、脚部には、脚部を座部に対して垂直に立脚した状態で停止させる停止手段を有するので、折り畳み式正座椅子を簡単な構造で容易に折り畳み及び使用状態にすることができ、且つ、脚部は正座した両足の間に納められるので利用者は両足を左右に開くことなく正座した状態に最も近い形で正座することができる。その上、両足に体重がかからないので長時間使用していても足や股に痛みが発生しない。
【００６０】
請求項２に記載の発明によれば、脚部を座部に対して垂直に立脚した状態で脚部を座部に対して回動不能な状態に固定するロック部材が座部に設けられているので、請求項１の効果に加えて、利用者が正座しているときに安定した状態を保つことができる。
【００６１】
請求項３に記載の発明によれば、脚部の垂直部に基部の上面が向い合うように基部を回動させ、座部に基部の下面が向い合うように脚部を回動させた折畳み状態において、脚部及び基部の外形が座部の平面形状内に納まる大きさとしたので、請求項１又は２の効果に加えて、コンパクトな形状に折り畳めることができ、携帯に便利である。
【００６２】
請求項４に記載の発明によれば、脚部は平板状の垂直部と該垂直部両端から垂直に張り出した上端ストッパ片と下端ストッパ片とを有し、ロック部材は、座部に設けられた回動軸を中心にして座部の下面と平行な水平面内を回動自在に設けられたレバー部と、該レバー部に取付けられた固定部材とを有し、脚部の停止手段が、上端ストッパ片を座部の下面とレバー部で挟み込むようにして脚部を回動不能に抑え、固定部材を座部の下面に固定することによりレバー部を回動不能にしたので、請求項２又は３の効果に加えて、脚部を立脚した状態に保持するロック部材を簡単な構造となり、取り扱いが容易なものにすることができる。
【００６３】
請求項５に記載の発明によれば、レバー部の一方の先端には係止部を有し、該係止部が折畳み状態において脚部の上端面に当接して脚部を回動不能となるようにしたので、請求項４の効果に加えて、持ち運び等の際に基部や脚部が回動されることがなく、折り畳んだ状態での持ち運びを容易に行うことができる。
【００６４】
請求項６に記載の発明によれば、基部と脚部とを垂直に保持した位置で掛止する掛止部材が基部又は脚部に設けられたので、請求項１乃至５の何れか１つの効果に加えて、利用者が正座しているときに安定した状態をさらに保つことができる。
【図面の簡単な説明】
【図１】この発明の実施の形態に係る折り畳み式正座椅子の斜視図である。
【図２】同実施の形態に係る折り畳み式正座椅子が使用状態の正面図である。
【図３】同実施の形態に係る折り畳み式正座椅子が折り畳んだ状態の側面図である。
【図４】同実施の形態に係る折り畳み正座椅子が使用状態の底面図である。
【図５】同実施の形態に係る図２のＡ−Ａ線に沿うロック部材の要部拡大横断面図である。
【図６】同実施の形態に係るロック部材と座部との関係を示す要部拡大縦断面図である。
【図７】同実施の形態に係る変形例のロック部材を適用した折り畳み式正座椅子の正面図である。
【図８】同実施の形態に係る折り畳み式正座椅子の一部破断した拡大斜視図である。
【符号の説明】
１　　折り畳み式正座椅子
２　　基部
２ａ　上面
３　　座部
３ａ　下面
４　　脚部
４ａ　垂直部
４ｂ　下端ストッパ片
４ｃ　上端ストッパ片（停止手段）
５　　ロック部材
６　　レバー部
７　　固定部材
８　　係止部
９　　掛止部材
２３　固定ネジ
【図１】
2004033272.tif 000003
【図２】
2004033272.tif 000004
【図３】
2004033272.tif 000005
【図４】
2004033272.tif 000006
【図５】
2004033272.tif 000007
【図６】
2004033272.tif 000008
【図７】
2004033272.tif 000009
【図８】
2004033272.tif 000010